(57)【要約】【課題】シール性をより一層高めることができ、濾室からの液体の漏れをより確実に抑えることができる構成を提供する。【解決手段】フィルタープレス装置１は、濾板構造３を有し、この濾板構造３は、各々の濾板１０において、一方面側の周縁側凸部１４には、中央側凹部１２の周りに環状に配置されるとともに第１押圧面２２及び環状凸部２４が形成され、他方面側の周縁側凸部１４には、中央側凹部１２の周りに環状に配置される第２押圧面３２及び環状凹部３４が形成される。一の濾板１０と他の濾板１０とが重ねられたとき、一の濾板１０の環状凸部２４が他の濾板１０の環状凹部３４内に入り込んで当該環状凹部３４内を押圧し、一の濾板１０の第１押圧面２２と他の濾板１０の第２押圧面３２とが互いに押圧し合う構成をなす。【選択図】図１
2019150807.tif 000002
【特許請求の範囲】
【請求項１】
板厚方向に凹となる中央側凹部と、前記中央側凹部を囲んで枠状に形成されるとともに前記板厚方向に凸となる形状をなし且つ前記中央側凹部の周りに環状に配置される周縁側凸部とが、前記板厚方向の一方面側及び他方面側にそれぞれ形成された濾板を複数備えた濾板構造であって、
各々の前記濾板において、
前記一方面側の前記中央側凹部と前記他方面側の前記中央側凹部との間を前記板厚方向に貫通する貫通孔が形成され、
前記一方面側の前記周縁側凸部には、前記中央側凹部の周りに環状に配置される第１押圧面と、前記中央側凹部の周りに環状に配置されるとともに前記第１押圧面から突出した構成をなす環状凸部と、が形成され、
前記他方面側の前記周縁側凸部には、前記中央側凹部の周りに環状に配置される第２押圧面と、前記中央側凹部の周りに環状に配置されるとともに前記第２押圧面から窪んだ構成をなす環状凹部と、が形成されており、
複数の前記濾板のうちの一の濾板と他の濾板とが重ねられたとき、前記一の濾板の前記環状凸部が前記他の濾板の前記環状凹部内に入り込んで当該環状凹部内を押圧し、前記一の濾板の前記第１押圧面と前記他の濾板の前記第２押圧面とが互いに押圧し合う
フィルタープレス装置の濾板構造。
【請求項２】
前記環状凸部が弾性材料によって構成されている請求項１に記載のフィルタープレス装置の濾板構造。
【請求項３】
前記環状凸部は、内部に空隙部が形成された中空状をなし、
前記空隙部は、前記環状凸部が延びる方向に沿って延びており、前記中央側凹部の周りに環状に配置される
請求項１又は請求項２に記載のフィルタープレス装置の濾板構造。
【請求項４】
前記濾板は、
板状に構成されるとともに、２つの前記中央側凹部のうちの一方の中央側凹部と２つの前記周縁側凸部のうちの一方の周縁側凸部とが一方の板面側に形成され、２つの前記中央側凹部のうちの他方の中央側凹部と２つの前記周縁側凸部のうちの他方の周縁側凸部とが他方の板面側に形成された基板部と、
前記基板部の前記一方の中央側凹部内及び前記他方の中央側凹部内にそれぞれ固定される一対の環状板部と、
を有し、
前記環状板部には、前記板厚方向に突出する貫通孔側突起部が形成され、
前記一対の環状板部のうちの一方の環状板部側から他方の環状板部側に連通する構成で前記貫通孔が形成され、
前記一の濾板の前記一方面側と前記他の濾板の前記他方面側とが押圧し合うように重ねられたとき、前記一の濾板の前記一方面側の前記貫通孔側突起部と前記他の濾板の前記他方面側の前記貫通孔側突起部とが互いに対向する
請求項１から請求項３のいずれか一項に記載のフィルタープレス装置の濾板構造。
【請求項５】
前記濾板は、板状に構成されるとともに、２つの前記中央側凹部のうちの一方の中央側凹部と２つの前記周縁側凸部のうちの一方の周縁側凸部とが一方の板面側に形成され、２つの前記中央側凹部のうちの他方の中央側凹部と２つの前記周縁側凸部のうちの他方の周縁側凸部とが他方の板面側に形成された基板部を有し、
前記基板部は、
前記一方の中央側凹部及び前記他方の中央側凹部の各々において各々の深さ方向最深部側に、液体を板厚方向に通過させる通水部が形成された排水板がそれぞれ設けられ、
前記排水板の裏面側から前記濾板の外部に連通する排水路が形成されている
請求項１から請求項４のいずれか一項に記載のフィルタープレス装置の濾板構造。
【請求項６】
前記一方の中央側凹部内及び前記他方の中央側凹部内には、各々の前記排水板よりも前記板厚方向に突出する排水板側突起部がそれぞれ形成されており、
前記一の濾板の前記一方面側と前記他の濾板の前記他方面側とが押圧し合うように重ねられたとき、前記一の濾板の前記一方面側の前記排水板側突起部と前記他の濾板の前記他方面側の前記排水板側突起部とが互いに対向する
請求項５に記載のフィルタープレス装置の濾板構造。
【請求項７】
前記排水板側突起部は、先端側に近づくにつれて細くなる先細り形状をなす
請求項６に記載のフィルタープレス装置の濾板構造。
【請求項８】
前記一方の中央側凹部内及び前記他方の中央側凹部内のそれぞれにおいて、前記排水板及び前記排水板側突起部を覆うように濾布が設けられている
請求項６又は請求項７に記載のフィルタープレス装置の濾板構造。
【請求項９】
請求項１から請求項８のいずれか一項に記載のフィルタープレス装置の濾板構造を有するフィルタープレス装置。
【請求項１０】
複数の前記濾板を重ねた状態で配置しつつ、隣り合う濾板間において片方の濾板の前記環状凸部がもう片方の濾板の前記環状凹部内に入り込んで当該環状凹部内を押圧し且つ前記片方の濾板の前記第１押圧面と前記もう片方の濾板の前記第２押圧面とが互いに押圧し合う第１保持状態で保持する保持装置と、
前記保持装置によって複数の前記濾板からなる濾板群が前記第１保持状態で保持されているときに、前記濾板群の一端部の前記濾板の前記貫通孔から前記濾板群の内部に固液混合体を注入する第１注入装置と、
前記濾板群が前記第１保持状態で保持されているときに、前記濾板群における前記一端部又は前記一端部とは反対側の他端部の前記貫通孔から前記濾板群の内部にエアを注入する第２注入装置と、
を有する請求項９に記載のフィルタープレス装置。
【請求項１１】
請求項５から請求項８のいづれか一項に記載のフィルタープレス装置の濾板構造と、
複数の前記濾板を重ねた状態で配置しつつ、隣り合う濾板間において片方の濾板の前記環状凸部がもう片方の濾板の前記環状凹部内に入り込んで当該環状凹部内を押圧し且つ前記片方の濾板の前記第１押圧面と前記もう片方の濾板の前記第２押圧面とが互いに押圧し合う第１保持状態で保持する保持装置と、
複数の前記濾板からなる濾板群の一端部の前記濾板の前記貫通孔から前記濾板群の内部に固液混合体を注入する第１注入装置と、
前記濾板群における前記一端部側での流体の流出入を停止する第１停止状態と、前記第１停止状態を解除する第１解除状態とに切り替える第１切替部と、
前記濾板群における前記一端部とは反対の他端部の前記貫通孔から前記濾板群の内部にエアを注入する第２注入装置と、
前記濾板群における前記他端部側での流体の流出入を停止する第２停止状態と、前記第２停止状態を解除する第２解除状態とに切り替える第２切替部と、
を有し、
前記保持装置によって前記濾板群が前記第１保持状態で保持しているときに、前記第２切替部が前記第２停止状態に切り替えた状態で前記第１注入装置が前記濾板群の内部に前記固液混合体を注入し、
前記第１注入装置による前記固液混合体の注入後、前記保持装置によって前記濾板群が前記第１保持状態で保持されているときに、前記第１切替部が前記第１停止状態に切り替えた状態で前記第２注入装置が前記濾板群の内部にエアを注入することで、前記他端部の前記貫通孔側から各々の前記濾板の前記排水路側へとエアを流し、前記濾板群の内部に存在する前記固液混合体の液体をエアと共に前記排水路を介して前記濾板群の外部に排出する
フィルタープレス装置。
【請求項１２】
複数の前記濾板をそれぞれの前記濾板の厚さ方向に並べた状態で各々の前記濾板の移動方向が前記厚さ方向となるようにガイドする一対のガイドレールと、
一対の前記ガイドレールのそれぞれの上方側に配置される一対の規制部と、
を有し、
一対の前記ガイドレールのそれぞれが、各々の前記濾板の両側部に対向してそれぞれ配置されるとともに前記厚さ方向に沿って延びる構成をなし、
一対の規制部のそれぞれが、各々の前記濾板における上下方向中央位置よりも上側の位置において各々の前記濾板の両側部に対向してそれぞれ配置されるとともに前記厚さ方向に沿って延びる構成をなす
請求項９から請求項１１のいずれか一項に記載のフィルタープレス装置。
【発明の詳細な説明】
【技術分野】
【０００１】
本発明は、フィルタープレス装置の濾板構造及びフィルタープレス装置に関するものである。
【背景技術】
【０００２】
従来から提供されているフィルタープレス装置では、複数枚の濾板を重ねて配置し、濾板間に構成された空間内に泥水を流し込み、濾板間で泥水を圧搾して固体分を液体分とを分離するといった構成が採用されている。この種のフィルタープレス装置で用いられる濾板の例としては、特許文献１のような技術が提案されている。特許文献１で開示される濾板は、基板の中央部の前後両面に額縁状凸部が設けられ、複数の濾板が重なる状態では、隣り合う濾板の中央側の凹部同士が対向することで濾室を構成し、隣り合う濾板の額縁状凸部同士が押圧し合うことで濾室の周縁部を密封する構成をなす。
【先行技術文献】
【特許文献】
【０００３】
【特許文献１】特開平８−２８１０１６号公報
【発明の概要】
【発明が解決しようとする課題】
【０００４】
特許文献１で開示される濾板は、隣り合う濾板の一方の濾板に圧搾用弾性体を被せ、圧搾用弾性体が被せられている濾板の額縁状凸部に環状凹陥部を設け、環状凹陥部の内部に軟質弾性体からなるシール材を収めている。そして、濾板の締付け時には、基板と圧搾用弾性体の周縁部との間が軟質弾性体からなるシール材を介して密封されるようになっている。しかし、特許文献１で開示される濾板は、隣り合う濾板の額縁状凸部同士が押圧し合うときに平面部同士が密着する構成であるため、シール性が十分とはいえず、濾室内に流れ込んだ固液混合体によって強い内圧が加わった時に周縁部から液体が漏れ出る虞がある。
【０００５】
本発明は、上述した課題を解決するためになされたものであり、シール性をより一層高めることができ、濾室からの液体の漏れをより確実に抑えることができる構成を提供することを目的とするものである。
【課題を解決するための手段】
【０００６】
本発明の一つであるフィルタープレス装置の濾板構造は、
板厚方向に凹となる中央側凹部と、前記中央側凹部を囲んで枠状に形成されるとともに前記板厚方向に凸となる形状をなし且つ前記中央側凹部の周りに環状に配置される周縁側凸部とが、前記板厚方向の一方面側及び他方面側にそれぞれ形成された濾板を複数備える濾板構造であって。
各々の前記濾板において、
前記一方面側の前記中央側凹部と前記他方面側の前記中央側凹部との間を前記板厚方向に貫通する貫通孔が形成され、
前記一方面側の前記周縁側凸部には、前記中央側凹部の周りに環状に配置される第１押圧面と、前記中央側凹部の周りに環状に配置されるとともに前記第１押圧面から突出した構成をなす環状凸部と、が形成され、
前記他方面側の前記周縁側凸部には、前記中央側凹部の周りに環状に配置される第２押圧面と、前記中央側凹部の周りに環状に配置されるとともに前記第２押圧面から窪んだ構成をなす環状凹部と、が形成されており、
複数の前記濾板のうちの一の濾板と他の濾板とが重ねられたとき、前記一の濾板の前記環状凸部が前記他の濾板の前記環状凹部内に入り込んで当該環状凹部内を押圧し、前記一の濾板の前記第１押圧面と前記他の濾板の前記第２押圧面とが互いに押圧し合う構成をなす。
【０００７】
このように、一の濾板と他の濾板とが重ねられたとき、一の濾板の環状凸部が他の濾板の環状凹部内に入り込んで当該環状凹部内を押圧し、一の濾板の第１押圧面と他の濾板の第２押圧面とが互いに押圧し合う構成をなしているため、両濾板を密着させて濾室（一の濾板の中央側凹部及び他の濾板の中央側凹部によって構成される固液混合体の流入領域）を構成したときに、より強固な密着性を確保し得る領域を、濾室を構成する部分を取り囲むように環状に配置することができる。
【０００８】
より具体的には、複数の濾板が各々の厚さ方向に重ねられたとき、各々の濾板間（隣り合う各濾板の組）において片方の濾板の環状凸部がもう片方の濾板の環状凹部内に入り込んで当該環状凹部内を押圧し、片方の濾板の第１押圧面ともう片方の濾板の第２押圧面とが互いに押圧し合う構成をなすようにすることができる。
【０００９】
上記濾板構造において、環状凸部が弾性材料によって構成されていてもよい。
このようにすれば、環状凸部が環状凹部内に入り込んで押圧する際に、環状凸部が環状凹部付近の形状に合わせて変形しやすくなり、環状凸部と環状凹部との間での密着性をより高めることができる。
【００１０】
上記濾板構造において、環状凸部は、内部に空隙部が形成された中空状をなしていてもよい。そして、空隙部は、環状凸部が延びる方向に沿って延びた構成且つ中央側凹部の周りに環状に配置された構成であってもよい。
このようにすれば、環状凸部がより一層弾性変形しやすくなり、環状凸部と環状凹部との間での密着性をより一層高めやすくなる。
【００１１】
濾板は、板状に構成されるとともに、２つの中央側凹部のうちの一方の中央側凹部と２つの周縁側凸部のうちの一方の周縁側凸部とが一方の板面側に形成され、２つの中央側凹部のうちの他方の中央側凹部と２つの周縁側凸部のうちの他方の周縁側凸部とが他方の板面側に形成された基板部と、基板部の一方の中央側凹部内及び他方の中央側凹部内にそれぞれ固定される一対の環状板部と、を有していてもよい。そして、環状板部には、板厚方向に突出する貫通孔側突起部が形成されていてもよい。そして、一対の環状板部のうちの一方の環状板部側から他方の環状板部側に連通する構成で貫通孔が形成されていてもよい。更に、一の濾板の一方面側と他の濾板の他方面側とが押圧し合うように重ねられたとき、一の濾板の一方面側の貫通孔側突起部と他の濾板の他方面側の貫通孔側突起部とが互いに対向する構成であってもよい。
【００１２】
このように構成されていれば、例えば、固液混合体が高い圧力で流入すること等に起因して一の濾板が他の濾板側に撓み変形しようとしても、貫通孔側突起部同士が当接し、撓み変形が抑制される。ゆえに、濾板が大きく変形することに起因して一の濾板の環状凸部が他の濾板の環状凹部から外れてしまうような事態をより効果的に防ぎやすくなる。特に、貫通孔近傍は濾板が撓み変形するときに変位が大きくなりやすい部位であるが、上記構成によれば、この部位の変位を規制することができるため、濾板の撓み変形を抑制する効果が極めて高くなる。
【００１３】
より具体的には、複数の濾板が各々の厚さ方向に重ねられ、各々の濾板間（隣り合う各濾板の組）において片方の濾板の環状凸部がもう片方の濾板の環状凹部内に入り込んで当該環状凹部内を押圧するように保持されたとき、片方の濾板の環状板部における貫通孔側突起部と、もう片方の濾板の環状板部における貫通孔側突起部とが互いに対向するように配置され、これら対向する貫通孔側突起部同士が接触又は近接するように配置されていてもよい。
【００１４】
濾板は、板状に構成されるとともに、２つの中央側凹部のうちの一方の中央側凹部と２つの周縁側凸部のうちの一方の周縁側凸部とが一方の板面側に形成され、２つの中央側凹部のうちの他方の中央側凹部と２つの周縁側凸部のうちの他方の周縁側凸部とが他方の板面側に形成された基板部を有していてもよい。そして、基板部は、一方の中央側凹部及び他方の中央側凹部の各々において各々の深さ方向最深部側に、液体を板厚方向に通過させる通水部が形成された排水板がそれぞれ設けられていてもよい。そして、排水板の裏面側から濾板の外部に連通するように排水路が形成されていてもよい。
【００１５】
このように構成されていれば、濾板間に固液混合体が高い圧力で流入したとき、固液混合体の固体分を濾板間に保持しつつ、液体分を排水路を介して外部に排出するように絞ることができる。
【００１６】
更に、このような排水板を備えた構成において、一方の中央側凹部内及び他方の中央側凹部内には、各々の排水板よりも板厚方向に突出する排水板側突起部がそれぞれ形成されていてもよい。更に、一の濾板の一方面側と他の濾板の他方面側とが押圧し合うように重ねられたとき、一の濾板の一方面側の排水板側突起部と他の濾板の他方面側の排水板側突起部とが互いに対向する構成であってもよい。
【００１７】
このように構成されていれば、例えば、固液混合体が高い圧力で流入すること等に起因して一の濾板が他の濾板側に撓み変形しようとしても、排水板側突起部同士が当接し、撓み変形が抑制される。ゆえに、濾板が大きく変形することに起因して一の濾板の環状凸部が他の濾板の環状凹部から外れてしまうような事態をより効果的に防ぎやすくなる。
【００１８】
より具体的には、複数の濾板が各々の厚さ方向に重ねられ、各々の濾板間（隣り合う各濾板の組）において片方の濾板の環状凸部がもう片方の濾板の環状凹部内に入り込んで当該環状凹部内を押圧するように保持されたとき、片方の濾板の排水板側突起部と、もう片方の濾板の排水板側突起部とが互いに対向するように配置され、これら対向する排水板側突起部同士が接触又は近接するように配置されていてもよい。
【００１９】
このように排水板側突起部を設けた構成において、排水板側突起部は、先端側（突出方向の先端側）に近づくにつれて細くなる先細り形状をなしていてもよい。
【００２０】
このように構成されていれば、濾板の撓み変形を抑制する効果を生じさせつつ、排水板側突起部の体積を低減することができるため、濾室内に残留する固形物（ケーキ）の体積の低減（排水板側突起部の存在に起因する体積の低減）を抑えることができる。
【００２１】
このように排水板側突起部を設けた構成において、一方の中央側凹部内及び他方の中央側凹部内のそれぞれにおいて、排水板及び排水板側突起部を覆うように濾布が設けられていてもよい。
【００２２】
このように構成されていれば、排水板と排水板側突起部とを濾布によって一括して覆うように配置する構成を採用しつつ、排水板側突起部の存在によって濾板の撓み変形を抑制する効果を生じさせ得る。
【００２３】
上述したいずれかの構成の濾板構造を有するフィルタープレス装置において、複数の濾板を重ねた状態で配置しつつ、隣り合う濾板間において片方の濾板の環状凸部がもう片方の濾板の環状凹部内に入り込んで当該環状凹部内を押圧し且つ片方の濾板の第１押圧面ともう片方の濾板の第２押圧面とが互いに押圧し合う第１保持状態で保持する保持装置と、保持装置によって複数の濾板からなる濾板群が第１保持状態で保持されているときに、濾板群の一端部の濾板の貫通孔から濾板群の内部に固液混合体を注入する第１注入装置と、濾板群が第１保持状態で保持されているときに、濾板群における一端部又は一端部とは反対側の他端部の貫通孔から濾板群の内部にエアを注入する第２注入装置と、が設けられていてもよい。
【００２４】
このように構成されていれば、濾板群が第１保持状態で保持されているとき（隣り合う濾板間において片方の濾板の環状凸部がもう片方の濾板の環状凹部内に入り込んでパッキン効果が高められているとき）に固液混合体を注入して濾板間でケーキを形成する動作を行うことができることに加え、濾板群が第１保持状態で保持されているときにエアを注入して濾板群の内部にエアを流動させる動作を行うことも可能となる。隣り合う濾板間において片方の濾板の環状凸部がもう片方の濾板の環状凹部内に入り込んでパッキン効果が高められていれば、濾板群の内部でエアを流動させるときに、各濾板の周縁部の所定位置（上述したパッキン効果が得られる位置）からエアが漏れることを確実に抑えることができる。
【００２５】
上述したような排水路を設けた濾板構造を有するフィルタープレス装置では、複数の濾板を重ねた状態で配置しつつ、隣り合う濾板間において片方の濾板の環状凸部がもう片方の濾板の環状凹部内に入り込んで当該環状凹部内を押圧し且つ片方の濾板の第１押圧面ともう片方の濾板の第２押圧面とが互いに押圧し合う第１保持状態で保持する保持装置と、複数の濾板からなる濾板群の一端部の濾板の貫通孔から前記濾板群の内部に固液混合体を注入する第１注入装置と、濾板群における一端部側での流体の流出入を停止する第１停止状態と、第１停止状態を解除する第１解除状態とに切り替える第１切替部と、濾板群における一端部とは反対の他端部の貫通孔から濾板群の内部にエアを注入する第２注入装置と、濾板群における他端部側での流体の流出入を停止する第２停止状態と、第２停止状態を解除する第２解除状態とに切り替える第２切替部と、を有していてもよい。
そして、保持装置が第１保持状態で保持しているときに、第２切替部が第２停止状態に切り替えた状態で第１注入装置が濾板群の内部に固液混合体を注入し、第１注入装置による固液混合体の注入後、保持装置が第１保持状態で保持されているときに、第１切替部が第１停止状態に切り替えた状態で第２注入装置が濾板群の内部にエアを注入することで、他端部の貫通孔側から各々の濾板の排水路側へとエアを流し、濾板群の内部に存在する固液混合体の液体をエアと共に排水路を介して濾板群の外部に排出するようになっていてもよい。
【００２６】
このように構成されていれば、保持装置によって濾板群が第１保持状態で保持されているとき（隣り合う濾板間において片方の濾板の環状凸部がもう片方の濾板の環状凹部内に入り込んでパッキン効果が高められているとき）に第１注入装置による固液混合体の注入を行い、濾板間でケーキを形成する動作を行うことができる。そして、第１注入装置による固液混合体の注入後には、濾板群が第１保持状態で保持されているときに第２注入装置によるエアの注入を行い、濾板群の他端部の貫通孔側から各々の濾板の排水路側へとエアを流し、濾板群の内部に存在する固液混合体の液体をエアと共に排水路を介して濾板群の外部に排出することができる。
このようにすれば、固液混合体を高圧で注入することによる排水路からの排水だけでなく、固液混合体の内部にエアを通すことによる強制的な排水効果も加味され、より含水率の低いケーキを形成することができる。このように固液混合体の内部にエアを通す場合、極めて高圧でエアを供給する必要があるため、隣り合う濾板間の周縁部付近のパッキン効果が弱いと、隣り合う濾板間の周縁部からエアとともに固液混合体が漏れてしまう虞がある。しかし、本構成では、「隣り合う濾板間において片方の濾板の環状凸部がもう片方の濾板の環状凹部内に入り込んでパッキン効果を高める」という特徴と、「濾板群の内部に存在する固液混合体の液体をエアと共に排水路を介して濾板群の外部に排出する」という特徴が相乗効果を発揮し、濾板の周縁部からのエア及び固液混合体の漏れを抑えながら、より含水率を抑えたケーキを形成することができる。
【００２７】
フィルタ―プレス装置は、複数の濾板をそれぞれの濾板の厚さ方向に並べた状態で各々の濾板の移動方向が上記厚さ方向となるようにガイドする一対のガイドレールと、一対のガイドレールのそれぞれの上方側に配置される一対の規制部と、を有していてもよい。そして、一対のガイドレールのそれぞれが、各々の濾板の両側部に対向してそれぞれ配置されるとともに上記厚さ方向に沿って延びる構成をなし、一対の規制部のそれぞれが、各々の濾板における上下方向中央位置よりも上側の位置において各々の濾板の両側部に対向してそれぞれ配置されるとともに上記厚さ方向に沿って延びる構成をなしていてもよい。
このように、各々の濾板の両側部に対向するように一対の規制部がそれぞれ配置され、各々の濾板の厚さ方向（各々の濾板の移動方向）に延びるように一対の規制部がそれぞれ設けられ、それら規制部が各々の濾板における上下方向中央位置よりも上側の位置に設けられていれば、複数の濾板を接触状態にして固液混合体を注入した後、隣り合う濾板間の距離を大きくしてケーキを下方に落とすような排出動作を行うときに、排出されるケーキが傾きながら横に外れるように落ちようとしても、一対の規制部によってケーキの傾斜及び横への移動を規制しながら下方に落とすことができる。
【発明の効果】
【００２８】
本発明の一つであるフィルタープレス装置の濾板構造によれば、シール性をより一層高めることができ、濾室からの液体の漏れをより確実に抑えることができる。
また、本発明の一つであるフィルタープレス装置によっても、同様の効果を得ることができる。
【図面の簡単な説明】
【００２９】
【図１】図１は、本発明の第１実施形態に係るフィルタープレス装置の濾板構造を概略的に例示する断面図である。
【図２】図２は、図１の濾板構造において一の濾板と他の濾板が密着した状態で固液混合体が流入した状態を例示する説明図である。
【図３】図３は、図１の濾板構造の１つの濾板の正面図である。
【図４】図４は、図３の濾板から濾布を省略した状態を例示する正面図である。
【図５】図５は、図３の濾板の背面図である。
【図６】図６は、図５の濾板から濾布を省略した状態を例示する背面図である。
【図７】図１の濾板構造の一部を拡大して示す拡大図である。
【図８】図２の状態の濾板構造の一部を拡大して概念的に示す拡大図である。
【図９】図１の濾板構造を有するフィルタープレス装置を概念的に示す側面図である。
【図１０】図１０は、図２の構成を具体化した一例を示す説明図である。
【図１１】図１１は、図３の構成を具体化した一例を示す説明図である。
【図１２】図１２は、図４の構成を具体化した一例を示す説明図である。
【図１３】図１３は、図５の構成を具体化した一例を示す説明図である。
【図１４】図１４は、図６の構成を具体化した一例を示す説明図である。
【図１５】図１５は、図９のフィルタープレス装置の一部を具体化した一例を示す説明図である。
【図１６】図１６は、図１５のフィルタープレス装置の一部を上側から見た構成を概念的に例示する説明図である。
【図１７】図１７は、図１５のフィルタープレス装置の一部を前側から見た構成を概念的に例示する説明図である。
【図１８】（Ａ）は、規制部が無い場合にケーキが傾きながら落下する例を説明する説明図であり、（Ｂ）は、規制部がある場合にケーキが傾きながら落下する例を説明する説明図である。
【図１９】（Ａ）は、第１保持状態のときの隣り合う濾板の組の一つを上側から見た様子を例示する説明図であり、（Ｂ）は、その濾板の組を離間させてケーキを落下させる様子を例示する説明図である。
【発明を実施するための形態】
【００３０】
＜第１実施形態＞
以下、本発明に係るフィルタープレス装置の濾板構造及びフィルタープレス装置の各一例を具現化した第１実施形態について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００３１】
（フィルタープレス装置）
まず、フィルタープレス装置１の概要を説明する。
図１で示す濾板構造３は、例えば、図９のようなフィルタープレス装置１に用いられる。図９で示すフィルタープレス装置１は、固液混合体（例えば、汚泥、掘削土、セメントなどが水中にまざったスラリーなど）を脱水し、固液混合体を脱水した残余物を固めた物体（ケーキ）を排出し得る装置である。
【００３２】
フィルタープレス装置１は、図１等で示す濾板構造３を用いており、この濾板構造３は、濾板１０を直列に配置した構成をなしており、濾板１０は、中心部に貫通孔１６が形成された板状の基板部１１を覆うように濾布１８を張った構成をなしている。図９で示すフィルタープレス装置１は、濾板構造３を構成する複数の濾板１０を互いに接近及び離間し得る接近離間装置（図９では、詳細な図示は省略）を有しており、固液混合体の供給時には、隣り合う濾板１０を互いに密着させた積層状態（図２、図８参照）で、固液混合体（例えば、泥水等のスラリー）をポンプによって各濾板１０の貫通孔１６に流し込むように加圧圧入する。圧入された固液混合体は、内圧が高い状態で図２、図８等で示す濾室（濾過室）４０内に溜まり、水分が濾布１８の微少の隙間から排出される。そして、隣り合う濾板１０の間(具体的には、隣り合う濾板１０における濾布１８の間)には、ポンプから供給された固液混合体から大量の水分を除去した残余物を固めた固形物（脱水ケーキ）が形成される。なお、図１、図２等では、濾布１８の目を通って濾板１０の内部に流入する水の流路の詳細（排水路２８の詳細）は省略しているが、実際には、濾布１８の目を通って濾板１０の内部に流入した水は、濾板１０内の排水路２８を通って濾板１０の外部（下部）に排出されるようになっている。
【００３３】
（濾板構造）
次に、濾板構造３を詳述する。
図１のように、濾板構造３は、複数の濾板１０によって構成される構造である。各々の濾板１０は、自身の板厚方向の一方面側及び他方面側に中央側凹部１２及び周縁側凸部１４がそれぞれ形成されている。
【００３４】
中央側凹部１２は、貫通孔１６の周辺において板厚方向に凹となる部分である。図１等では、各濾板１０に形成された２つの中央側凹部１２のうち、一方面側（環状凸部２４が形成された面側）の凹部を一方の中央側凹部１２Ａ（又は、単に中央側凹部１２Ａ）とし、他方面側（環状凹部３４が形成された面側）の凹部を他方の中央側凹部１２Ｂ（又は、単に中央側凹部１２Ｂ）とする。図４のように一方の中央側凹部１２Ａは、正面側から見て外径が矩形状の凹部となっており、図６のように他方の中央側凹部１２Ｂは、背面側から見て外径が矩形状の凹部となっている。
【００３５】
周縁側凸部１４は、中央側凹部１２を囲んで枠状に形成されるとともに板厚方向に凸となる形状をなし且つ少なくとも一部が中央側凹部１２の周りに環状に配置される部分である。図４のように一方面側（環状凸部２４が形成された面側）の周縁側凸部１４Ａは、正面側から見て矩形状の枠部となっており、濾板１０の周縁部に沿うように四角形状（具体的には正方形状）に配置される。図６のように他方面側（環状凹部３４が形成された面側）の周縁側凸部１４Ｂは、正面から見て矩形状の枠部となっており、濾板１０の周縁部に沿うように四角形状（具体的には正方形状）に配置される。
【００３６】
図４、図７のように、一方面側（環状凸部２４が形成された面側）の周縁側凸部１４Ａには、中央側凹部１２Ａの周りに環状（具体的には、四角枠状）に配置される第１押圧面２２と、中央側凹部１２Ａの周りに環状（具体的には、四角枠状）に配置されるとともに第１押圧面２２から突出した構成をなす環状凸部２４と、が形成されている。
【００３７】
環状凸部２４は、ゴム、ゴム以外のエラストマーなどの弾性材料によって構成されており、周縁側凸部１４Ａの第１押圧面２２に形成された溝（中央側凹部１２Ａを囲むように形成された溝）内に嵌り込んだ構成で周縁側凸部１４Ａに固定されている。図７のように、環状凸部２４は、当該環状凸部２４が延びる方向と直交する平面方向に切断した断面の外形が外側に凸となるように湾曲した形状をなしている。また、環状凸部２４は、内部に空隙部２４Ａが形成された中空状をなしている。空隙部２４Ａは、濾板１０の厚さ方向において第１押圧面２２の位置よりも外側（厚さ方向の中心よりも遠い側）に形成され、環状凸部２４が延びる方向に沿って延びた構成且つ中央側凹部１２の周りに環状に配置された構成となっている。
【００３８】
図６、図７のように、他方面側（環状凹部３４が形成された面側）の周縁側凸部１４Ｂには、中央側凹部１２Ｂの周りに環状（具体的には、四角枠状）に配置される第２押圧面３２と、中央側凹部１２Ｂの周りに環状（具体的には、四角枠状）に配置されるとともに第２押圧面３２から窪んだ構成をなす環状凹部３４と、が形成されている。
【００３９】
図１のように、各々の濾板１０において、一方面側（環状凸部２４が形成された面側）の中央側凹部１２Ａと他方面側（環状凹部３４が形成された面側）の中央側凹部１２Ｂとの間を板厚方向に貫通するように貫通孔１６が形成されている。貫通孔１６は、濾板１０の内部を通すように固液混合体を濾板１０の厚さ方向に流動させる流路として機能する。
【００４０】
図１、図３のように、板厚方向一方面側において貫通孔１６の外側の領域を覆うように濾布１８が配置されており、図１、図５のように、板厚方向他方面側において貫通孔１６の外側の領域を覆うように濾布１８が配置されている。なお、図２、図８では、第１押圧面２２と第２押圧面３２との間及び環状凸部２４と環状凹部３４との間に介在する２つの濾布１８を省略して示している。図１〜図８では、濾布１８のうち一方面側（環状凸部２４が形成された面側）を覆うものを濾布１８Ａとし、他方面側（環状凹部３４が形成された面側）のものを濾布１８Ｂとしている。
【００４１】
図３のように、一方面側（環状凸部２４が形成された面側）の濾布１８Ａは、後述する環状板部１５Ａに固定され、環状板部１５Ａの外側の領域において基板部１１の周縁部に至るまで全体的に配置されている。図５のように、他方面側（環状凹部３４が形成された面側）の濾布１８Ｂは、後述する環状板部１５Ｂに固定され、環状板部１５Ｂの外側の領域において基板部１１の周縁部に至るまで全体的に配置されている。図１、図２、図７、図８等では、濾布１８を二点鎖線にて概念的に示しており、図３、図５では、濾布１８を模様の領域として概念的に示している。図２、図８の例では、周縁側凸部１４Ａ，１４Ｂに挟まれた部分にも濾布１８Ａ，１８Ｂが存在するが、この部分の濾布１８Ａ，１８Ｂの図示（二点鎖線の図示）は省略している。図１等の例では、各々の濾板１０において、濾布１８Ａの周縁部と濾布１８Ｂの周縁部とが連結されているが、各々の周縁部が連結されていなくてもよい。濾布１８Ａは、少なくとも、貫通孔１６を外れた領域において中央側凹部１２Ａの内面を覆うように配置されていればよく、濾布１８Ａの被覆領域は図１、図３等の構成に限定されない。
【００４２】
図１等で示す濾板構造３は、図１、図７のように隣り合う濾板１０が離間している状態と、図２、図８のように隣り合う濾板１０が密着する状態とに切り替え得る。なお、複数の濾板１０は、図１等において図示していないレールによって図１のように厚さ方向が揃えられ（即ち、各々の濾板１０の厚さ方向が同方向となるように揃えられ）且つ各々の濾板１０における外周縁の位置（厚さ方向と直交する平面方向における外周縁の位置）が揃えられており、このように揃えられた状態でレールに沿って動くことにより、複数の濾板１０において隣り合う濾板が互いに接近及び離間し得るようになっている。
【００４３】
複数の濾板１０は、図２、図８のように、一の濾板１０と他の濾板１０とが密着するように重ねられたとき、一の濾板１０の環状凸部２４が他の濾板１０の環状凹部３４内に入り込んで当該環状凹部３４内の内面を押圧し、一の濾板１０の第１押圧面２２と他の濾板１０の第２押圧面３２とが互いに押圧し合う構成をなす。図８の例では、一の濾板１０の第１押圧面２２と他の濾板１０の第２押圧面３２との間に２つの濾板１０をそれぞれ覆う２つの濾布１８Ａ，１８Ｂが介在し、この状態で、一の濾板１０の第１押圧面２２と他の濾板１０の第２押圧面３２とが押圧し合う。つまり、一の濾板１０の第１押圧面２２と他の濾板１０の第２押圧面３２とが、一の濾板１０の濾布１８Ａ及び他の濾板１０の濾布１８Ｂを介して互いに押圧し合う。そして、環状凸部２４と環状凹部３４との間にも２つの濾板１０をそれぞれ覆う２つの濾布１８Ａ，１８Ｂが介在し、この状態（即ち、環状凸部２４の外面と環状凹部３４の内面との間に濾布１８Ａ，１８Ｂが介在した状態）で、環状凸部２４と環状凹部３４とが押圧し合う。即ち、一の濾板１０の環状凸部２４が、一の濾板１０の濾布１８Ａ及び他の濾板１０の濾布１８Ｂを介して環状凹部３４内の内面を押圧する。
【００４４】
図８のように隣り合う濾板１０を密着させた積層状態で、図１５で示す第１注入装置６０（例えば、ポンプを含んだスラリー供給装置）により貫通孔１６を介して固液混合体を流し込めば、圧入された固液混合体は、内圧が高い状態で図２、図８等で示す濾室（濾過室）４０内に溜まり（図１５も参照）、水分が濾布１８の微少の隙間から基板部１１側（即ち、濾布１８の裏側）に排出される。そして、隣り合う濾板１０の間(具体的には、隣り合う濾板１０における濾布の間)には、脱水ケーキが形成される。なお、脱水ケーキは、図２のように濾室４０内に注入された固液混合体７からある程度の水分が除去された物体である。
【００４５】
本構成では、各々の濾板１０において基板部１１が設けられ、基板部１１は、板状に構成されるとともに、２つの中央側凹部１２のうちの一方の中央側凹部１２Ａと２つの周縁側凸部１４のうちの一方の周縁側凸部１４Ａとが一方の板面側（上述の一方面側）に形成され、２つの中央側凹部１２のうちの他方の中央側凹部１２Ｂと２つの周縁側凸部１４のうちの他方の周縁側凸部１４Ｂとが他方の板面側（上述の他方面側）に形成されている。そして、一方の中央側凹部１２Ａの内壁部を覆うように濾布１８Ａが設けられ、他方の中央側凹部１２Ｂの内壁部を覆うように濾布１８Ｂが設けられている。一方の中央側凹部１２Ａ及び他方の中央側凹部１２Ｂにおいて濾布１８の裏側には、濾板１０の外部に通じる排水路２８（一方の排水路２８Ａ及び他方の排水路２８Ｂ）が設けられている。
【００４６】
濾板１０の一方の中央側凹部１２Ａ及び他方の中央側凹部１２Ｂの各々において、各々の深さ方向最深部側の内壁部（内面部）には、液体を自身の板厚方向に通過させる通水部を備えた排水板１３（一方の排水板１３Ａ及び他方の排水板１３Ｂ）がそれぞれ設けられている。排水板１３Ａ，１３Ｂのいずれの通水部も、多数の孔部によって構成されていてもよく、溝や切欠きによって構成されていてもよい。排水板１３Ａ，１３Ｂは、表面側で濾布１８を支持している状態で表面側から裏面側に水が通過し得る構成であればよく、板状体に複数の貫通孔を多数形成したような構成であってもよく、網状の構成などであってもよい。
基板部１１において各々の排水板１３よりも板厚方向（濾板１０の板厚方向）の内側には、各々の排水板１３によって板厚方向の両側が覆われる板状体１１Ａが設けられている。そして、図１、図４のように、一方の周縁側凸部１４Ａは、この板状体１１Ａの一方面側において板状体１１Ａの周縁部に沿って固定される矩形状の枠体となっている。また、他方の周縁側凸部１４Ｂは、この板状体１１Ａの他方面側において板状体１１Ａの周縁部に沿って固定される矩形状の枠体となっている。一方の排水板１３Ａは、その周縁部が板状体１１Ａと周縁側凸部１４Ａを構成する枠体の内縁部との間に挟み込まれた形で固定される。一方の排水板１３Ｂは、その周縁部が板状体１１Ａと周縁側凸部１４Ｂを構成する枠体の内縁部との間に挟み込まれた形で固定される。
【００４７】
各々の排水板１３（一方の排水板１３Ａ及び他方の排水板１３Ｂ）と板状体１１Ａとの間には、濾板１０の外側に通じる排水路２８Ａ，２８Ｂがそれぞれ構成されている。排水路２８Ａ，２８Ｂはいずれも水を通す通水路として構成されている。
【００４８】
一方の中央側凹部１２Ａにおいて濾布１８Ａの裏側に形成された排水路２８Ａは、例えば、図１０〜図１２のようになっている。図１０〜図１２の例では、基板部１１の一方面側の下端側（設置時における鉛直方向下端側）において、複数の排水路２８Ａが溝状に形成されており、各々の排水路２８Ａにおいて水が流れ得る構成となっている。複数の排水路２８Ａは、一方の端部（上端部）側が排水板１３Ａの裏側に位置し、排水板１３Ａの裏面の一部が各々の排水路２８Ａの内部空間に面している。そして、各々の排水路２８Ａの他方の端部（下端部）側は濾板１０の下端部まで達しており、各々の排水路２８Ａの内部空間が濾板１０の外側の空間に連通している。なお、排水板１３Ａの裏面と板状体１１Ａの表面との間には空間が存在し、この空間が各々の排水路２８Ａに連通するようになっていることが望ましく、このように構成されていれば、排水板１３Ａの裏面側に流れ込んだ水分が各々の排水路２８Ａを介して濾板１０の外側に流れやすくなる。
【００４９】
一方の中央側凹部１２Ｂにおいて濾布１８Ｂの裏側に形成された排水路２８Ｂは、例えば、図１０、図１３、図１４のようになっている。図１０、図１３、図１４の例では、基板部１１の一方面側の下端側（設置時における鉛直方向下端側）において、複数の排水路２８Ｂが溝状に形成されており、各々の排水路２８Ｂにおいて水が流れ得る構成となっている。複数の排水路２８Ｂは、一方の端部（上端部）側が排水板１３Ｂの裏側に位置し、排水板１３Ｂの裏面の一部が各々の排水路２８Ｂの内部空間に面している。そして、各々の排水路２８Ｂの他方の端部（下端部）側は濾板１０の下端部まで達しており、各々の排水路２８Ｂの内部空間が濾板１０の外側の空間に連通している。なお、排水板１３Ｂの裏面と板状体１１Ｂの表面との間には空間が存在し、この空間が各々の排水路２８Ｂに連通するようになっていることが望ましく、このように構成されていれば、排水板１３Ｂの裏面側に流れ込んだ水分が各々の排水路２８Ｂを介して濾板１０の外側に流れやすくなる。
【００５０】
なお、図１０〜図１５の例では、濾板１０の下端部側に複数の排水路２８を設けた構成を例示したが、濾布１８を通って排水板１３側に流れ込んだ水を濾板１０の外部に排出し得る流路であればよい。
【００５１】
図１、図２、図３、図５のように、濾板１０は、基板部１１の一方の中央側凹部１２Ａ内及び他方の中央側凹部１２Ｂ内にそれぞれ固定される一対の環状板部１５Ａ，１５Ｂを有する。そして、環状板部１５Ａ，１５Ｂには、濾板１０の板厚方向に突出する貫通孔側突起部１７Ａ，１７Ｂが形成されている。一方面側の環状板部１５Ａからは、一方面側の貫通孔側突起部１７Ａが複数突出しており、複数の貫通孔側突起部１７Ａは、図１１のように、貫通孔１６の周囲において貫通孔１６を囲むように配置されている。同様に、他方面側の環状板部１５Ｂからは、他方面側の貫通孔側突起部１７Ｂが複数突出しており、複数の貫通孔側突起部１７Ｂは、図１３のように、貫通孔１６の周囲において貫通孔１６を囲むように配置されている。貫通孔１６は、一対の環状板部１５Ａ，１５Ｂのうちの一方の環状板部１５Ａ側から他方の環状板部１５Ｂ側に連通する構成で形成されており、具体的には、一対の環状板部１５Ａ，１５Ｂを連結する筒状部の内部が貫通孔１６となっている。この構成では、図２のように、一の濾板１０の一方面側と他の濾板１０の他方面側とが押圧し合うように重ねられたとき、一の濾板１０の一方面側の貫通孔側突起部１７Ａと他の濾板１０の他方面側の貫通孔側突起部１７Ｂとが互いに対向する構成となっている。図２のように一の濾板１０の一方面側の貫通孔側突起部１７Ａと他の濾板１０の他方面側の貫通孔側突起部１７Ｂとが対向したとき、これら貫通孔側突起部１７Ａ，１７Ｂの間隔（先端部の間隔）は、環状板部１５Ａ，１５Ｂの板面間隔よりも小さくなっており、０であってもよい（即ち、対向する貫通孔側突起部１７Ａ，１７Ｂが接触していてもよい）。なお、図２等の例では、対向する貫通孔側突起部１７Ａ，１７Ｂの間には濾布１８が介在しない。
【００５２】
一方の中央側凹部１２Ａ内及び他方の中央側凹部１２Ｂ内には、各々の排水板１３よりも板厚方向に突出する排水板側突起部１９（一方の排水板側突起部１９Ａ及び他方の排水板側突起部１９Ｂ）がそれぞれ形成されている。一方の排水板側突起部１９Ａは、排水板１３Ａ又は板状体１１Ａの少なくともいずれかに固定され、排水板１３Ａの表面よりも板厚方向（濾板１０の板厚方向）に突出した構成をなす。排水板側突起部１９Ａは、自身の突出方向の先端側に近づくにつれて細くなる先細り形状をなしている。図４の例では、このような構成をなす複数の排水板側突起部１９Ａが貫通孔１６を囲むように配置されている。他方の排水板側突起部１９Ｂは、排水板１３Ｂ又は板状体１１Ａの少なくともいずれかに固定され、排水板１３Ｂの表面よりも板厚方向（濾板１０の板厚方向）に突出した構成をなす。排水板側突起部１９Ｂは、自身の突出方向の先端側に近づくにつれて細くなる先細り形状をなしている。図６の例では、このような構成をなす複数の排水板側突起部１９Ｂが貫通孔１６を囲むように配置されている。そして、図２のように一の濾板１０の一方面側と他の濾板１０の他方面側とが押圧し合うように重ねられたとき、一の濾板１０の一方面側の各々の排水板側突起部１９Ａと他の濾板１０の他方面側の各々の排水板側突起部１９Ｂとが互いに対向する構成となっている。図２のように一の濾板１０の一方面側の排水板側突起部１９Ａと他の濾板１０の他方面側の排水板側突起部１９Ｂとが対向したとき、これら排水板側突起部１９Ａ，１９Ｂの間隔（先端部の間隔）は、互いに対向する排水板１３Ａ、３Ｂの間隔よりも小さくなっている。なお、図２等の例では、対向する排水板側突起部１９Ａ，１９Ｂの間に濾布１８Ａ，１８Ｂが介在しており、対向する排水板側突起部１９Ａ，１９Ｂによって濾布１８Ａ，１８Ｂが挟み込まれている。
【００５３】
図９で示すフィルタープレス装置１は、このような濾板構造３を有しており、具体的には、図１５、図１６のように、濾板構造３を構成する複数の濾板１０を所定の姿勢（即ち、各々の濾板１０の厚さ方向が同方向となる姿勢且つ各々の濾板１０の外周縁の位置が揃えられた姿勢）で揃えた状態で、ガイドレール９０（ガイドレール９０Ａ，９０Ｂ）に沿って複数の濾板１０を移動させ得るようになっており、このような移動動作によって、複数の濾板１０において隣り合う濾板が互いに接近及び離間し得るようになっている。
【００５４】
図１〜図１４では図示は省略しているが、図１６、図１７のように、各々の濾板１０には、各々の濾板１０における基板部１１の左右両側部から側方に張り出す一対の張出部４１，４２が設けられている。そして、これら一対の張出部４１，４２が一対の被支持部として機能し、それぞれがガイドレール９０Ａ，９０Ｂ上に載置されつつ支持される。一対の張出部４１，４２がガイドレール９０Ａ，９０Ｂ上に載置されながら移動することで、各々の濾板１０は所定姿勢を保ちながら所定方向（各々の濾板１０の板厚方向）に移動するようになっている。
【００５５】
フィルタープレス装置１は、上述した濾板構造３に加え、保持装置５０、第１注入装置６０（以下、スラリー供給装置とも称する）、第２注入装置７０（以下、エア供給装置とも称する）、固液混合体７を供給する供給路６２、エアを供給する供給路７２、供給路６２の開放と遮断を切り替える第１切替部８１、供給路７２の開放と遮断を切り替える第２切替部８２、などを備える。なお、図示はしていないが、保持装置５０、第１注入装置６０、第２注入装置７０、第１切替部８１、第２切替部８２の動作（動作タイミングや制御量など）を制御する制御装置（例えばコンピュータなどの情報処理装置）も設けられている。
【００５６】
保持装置５０は、一対のガイドレール９０（ガイドレール９０Ａ，９０Ｂ）と、駆動装置５４と、固定壁５１，５２とを備えてなり、これらが一体的に組み付けられた構成をなす。駆動装置５４は、濾板群５の端部（固定壁５２側の端部）の濾板１０に作用する作用部５４Ｃと、作用部５４Ｃに連結される駆動軸５４Ｂと、駆動軸５４Ｂを所定方向（濾板群５の各濾板１０の板厚保方向）に移動させる駆動部５４Ａとを備える。駆動部５４Ａが駆動軸５４Ｂを介して作用部５４Ｃを固定壁５１側に移動させることで、複数の濾板１０が所定姿勢を保ちながら固定壁５１側に押し付けられ、図１５、図１６のように、濾板群５において隣り合う濾板間が互いに接触した状態となる。一方、駆動部５４Ａが駆動軸５４Ｂを介して作用部５４Ｃを固定壁５２側に移動させることで、濾板群５において隣り合う濾板間が互いに離間した状態となる。例えば、複数の濾板１０において隣り合う濾板間の最大間隔が所定間隔となるように間隔を規制する間隔規制部（図示略）が設けられていれば、作用部５４Ｃが濾板群５の端部（固定壁５２側の端部）の濾板１０と係合又は保持しながらその濾板１０を固定壁５２側に移動させようと動作したときに、それぞれの濾板間において隣り合う濾板が離間するように各濾板が移動するようになる。なお、ここで示す例はあくまで一例であり、複数の濾板１０を所定姿勢（即ち、各々の濾板１０の厚さ方向が同方向となる姿勢且つ各々の濾板１０の外周縁の位置が揃えられた姿勢）で揃えつつ各々の濾板間を接近及び離間し得る構成であれば、保持装置は他の構成としてもよい。
【００５７】
このように、保持装置５０は、作用部５４Ｃを固定壁５１側に移動させることにより、図１５、図１６のように、複数の濾板１０を重ねた状態で配置しつつ、隣り合う濾板間において片方の濾板１０の環状凸部２４がもう片方の濾板１０の環状凹部３４内に入り込んで当該環状凹部３４内を押圧し且つ片方の濾板１０の第１押圧面２２ともう片方の濾板１０の第２押圧面３２とが互いに押圧し合う保持状態（第１保持状態）で保持することができる（隣り合う濾板間の具体的な状態は図２、図８を参照）。
【００５８】
第１注入装置６０は、図示しない固液混合体収容部（例えば、スラリー収容槽など）から濾板群５側へ固液混合体を移送する移送装置であり、第１切替部８１が開放状態となっており且つ供給路６２が濾板群５の端部の貫通孔１６に連通しているときに、供給路６２を介して濾板群５の内部に固液混合体を注入し得る。具体的には、第１注入装置６０は、図１５、図１６のように保持装置５０によって複数の濾板１０からなる濾板群５が第１保持状態で保持されているときに、濾板群５の一端部の濾板１０の貫通孔１６から複数の濾板１０の内部に固液混合体７を注入するようになっている。なお、第１切替部８１は、濾板群５における一端部側での流体の流出入を停止する第１停止状態と、第１停止状態を解除する第１解除状態とに切り替える装置であり、供給路６２（管路）を開放状態と遮断状態とに切り替える公知の電磁弁によって構成されており、第１切替部８１の開放及び遮断は図示しない制御装置によって制御される。
【００５９】
第２注入装置７０は、エア（空気）を圧送し得る公知のエア（空気）供給装置として構成されており、第２切替部８２が開放状態となっており且つ供給路７２が濾板群５の端部の貫通孔１６に連通しているときに、供給路７２を介して濾板群５の内部にエア（空気）を注入し得る。具体的には、第２注入装置７０は、図１５、図１６のように保持装置５０によって複数の濾板１０からなる濾板群５が第１保持状態で保持されているときに、濾板群５における一端部とは反対側の他端部の貫通孔１６から複数の濾板１０の内部にエアを注入するようになっている。なお、第２切替部８２は、濾板群５における他端部側での流体の流出入を停止する第２停止状態と、第２停止状態を解除する第２解除状態とに切り替える装置であり、供給路７２（管路）を開放状態と遮断状態とに切り替える公知の電磁弁によって構成されており、第２切替部８２の開放及び遮断は図示しない制御装置によって制御される。
【００６０】
フィルタープレス装置１では、図１６のように保持装置５０が第１保持状態で保持しているときに、第２切替部８２が第２停止状態（供給路７２を遮断した状態）に切り替えた状態且つ第１切替部８１が第１解除状態（供給路６２を開放した状態）に切り替えた状態で第１注入装置６０が濾板群５の内部に固液混合体７を注入する。そして、第１注入装置６０による固液混合体７の注入後、図１５、図１６のように保持装置５０が第１保持状態で保持されているときに、第１切替部８１が第１停止状態（供給路６２を遮断した状態）に切り替えた状態且つ第２切替部８２が第２開放状態（供給路７２を開放した状態）に切り替えた状態で第２注入装置７０が濾板群５の内部にエアを注入することで、他端部の貫通孔１６側から各々の濾板１０の排水路２８側へとエアを流し、濾板群５の内部に存在する固液混合体７の液体（水分）をエアと共に排水路２８を介して濾板群５の外部に排出するようになっている。なお、各装置の動作タイミングや動作時間等は図示しない制御装置によって制御される。
【００６１】
更に、本構成では、図１６、図１７のように、一対のガイドレール９０Ａ，９０Ｂのそれぞれの上方側に一対の規制部９４（規制部９４Ａ，９４Ｂ）が配置されている。一対のガイドレール９０Ａ，９０Ｂは、それぞれが各々の濾板１０の両側部に対向してそれぞれ配置されるとともに厚さ方向に沿って延びる構成をなしている。そして、一対の規制部９４Ａ，９４Ｂは、それぞれが各々の濾板１０における上下方向中央位置よりも上側の位置において各々の濾板１０の両側部に対向してそれぞれ配置されるとともに厚さ方向に沿って延びる構成をなしている。具体的には、各々の濾板１０に形成された一対の張出部４１，４２の上面部にそれぞれ凹部４１Ａ，４２Ａが形成されており、これら凹部４１Ａ，４２Ａ内にそれぞれ配置されつつ凹部４１Ａ，４２Ａに支持される形で一対の規制部９４Ａ，９４Ｂがそれぞれ設けられている。
【００６２】
（効果例）
次に、本構成の効果を例示する。
上述した濾板構造３では、図２のように、一の濾板１０と他の濾板１０とが重ねられたとき、一の濾板１０の環状凸部２４が他の濾板１０の環状凹部３４内に入り込んで当該環状凹部３４内を押圧し、一の濾板１０の第１押圧面２２と他の濾板１０の第２押圧面３２とが互いに押圧し合うようになっている。このような構成であるため、両濾板１０を密着させて濾室４０（一の濾板１０の中央側凹部１２及び他の濾板１０の中央側凹部１２によって構成される固液混合体の流入領域）を構成したときに、より強固な密着性を確保し得る領域を、濾室４０を構成する部分を取り囲むように環状に配置することができる。
【００６３】
図１のように、各々の濾板１０において基板部１１が設けられ、基板部１１は、板状に構成されるとともに、２つの中央側凹部１２のうちの一方の中央側凹部１２Ａと２つの周縁側凸部１４のうちの一方の周縁側凸部１４Ａとが一方の板面側に形成され、２つの中央側凹部１２のうちの他方の中央側凹部１２Ｂと２つの周縁側凸部１４のうちの他方の周縁側凸部１４Ｂとが他方の板面側に形成されている。そして、一方の中央側凹部１２Ａの内壁部を覆うように濾布１８Ａが設けられ、他方の中央側凹部１２Ｂの内壁部を覆うように濾布１８Ｂが設けられている。一方の中央側凹部１２Ａ及び他方の中央側凹部１２Ｂにおいて濾布１８の裏側には、濾板１０の外部に通じる排水路２８が設けられている。このような構成であるため、図２のように、一の濾板１０の一方面側と他の濾板１０の他方面側とが押圧し合う構成で重ねられた状態で、一の濾板１０の一方の中央側凹部１２Ａと他の濾板１０他方の中央側凹部１２Ｂの間（具体的には、これらの内壁部を覆う両濾布１８Ａ，１８Ｂの間）に濾室４０が構成される。そして、この濾室４０内の領域に、貫通孔１６からのスラリー（泥水等）が高い圧力で流れ込んだときに、濾室４０よりも周縁部側は密着性が高められた状態でシールされるため、周縁部からのスラリーの漏れや吹き出し等が生じることが確実に抑えられ、このように周縁部からの漏れ等を確実に抑えた状態で、濾室４０内に供給されたスラリーの水分については濾布１８Ａ，１８Ｂを通過させて排水路２８Ａ，２８Ｂ側に導き、スラリーの固形物（濾布１８Ａ，１８Ｂを通過できない粒子のもの）については、濾室４０内に残留させるようにして、濾布１８Ａ，１８Ｂによって水分と固形物とに分離することができる。濾布１８Ａ，１８Ｂを通過したスラリー内の水分については、排水路２８Ａ，２８Ｂを介して濾板１０の外部に排出することができ、濾布１８Ａ，１８Ｂを通過できない固体は濾室４０内の領域に残留させ、脱水されたケーキとして構成することができる。
【００６４】
また、図１等で示す濾板構造３では、環状凸部２４が弾性材料によって構成されているため、環状凸部２４を環状凹部３４内に入り込ませて押圧した際に、環状凹部３４付近の形状に合わせて変形させることができ、環状凸部２４と環状凹部３４との間での密着性をより一層高めることができる。
【００６５】
また、濾板構造３では、図１、図７等で示すように、環状凸部２４は、内部に空隙部２４Ａが形成された中空状をなしている。そして、空隙部２４Ａは、環状凸部２４が延びる方向に沿って延びた構成且つ中央側凹部１２の周りに環状に配置された構成となっている。このようにすれば、環状凸部２４がより一層弾性変形しやすくなり、環状凸部２４と環状凹部３４との間での密着性をより一層高めやすくなる。
【００６６】
図１、図２、図３、図５のように、濾板１０は、基板部１１の一方の中央側凹部１２Ａ内及び他方の中央側凹部１２Ｂ内にそれぞれ固定される一対の環状板部１５Ａ，１５Ｂを有する。そして、環状板部１５Ａ，１５Ｂには、濾板１０の板厚方向に突出する貫通孔側突起部１７Ａ，１７Ｂが形成されている。そして、一対の環状板部１５Ａ，１５Ｂのうちの一方の環状板部１５Ａ側から他方の環状板部１５Ｂ側に連通する構成で貫通孔１６が形成されており、図２のように、一の濾板１０の一方面側と他の濾板１０の他方面側とが押圧し合うように重ねられたとき、一の濾板１０の一方面側の貫通孔側突起部１７Ａと他の濾板１０の他方面側の貫通孔側突起部１７Ｂとが互いに近接しつつ対向する構成となっている。このように構成されていれば、例えば、固液混合体が高い圧力で流入すること等に起因して一の濾板１０が他の濾板１０側に撓み変形しようとしても、貫通孔側突起部１７Ａ，１７Ｂ同士が接触し、撓み変形が抑制される。ゆえに、濾板１０が大きく変形することに起因して一の濾板１０の環状凸部２４が他の濾板１０の環状凹部３４から外れてしまうような事態をより効果的に防ぎやすくなる。特に、貫通孔１６の近傍は濾板１０が撓み変形するときに変位が大きくなる部位であるが、上記構成によれば、この部位の変位を規制することができるため、濾板１０の撓み変形を抑制する効果が極めて高くなる。
【００６７】
貫通孔側突起部１７は、先端側に近づくにつれて細くなる先細り形状をなしており、一の濾板１０の一方面側の貫通孔側突起部１７Ａと他の濾板１０の他方面側の貫通孔側突起部１７Ｂとは、それぞれの最も細くなった部位である先端部同士が互いに対向する構成となっている。このように構成されていれば、濾板１０の撓み変形を抑制する効果を生じさせつつ、濾室内に残留する固形物（ケーキ）の体積の低減を抑えることができる。
【００６８】
濾板１０の一方の中央側凹部１２Ａ及び他方の中央側凹部１２Ｂの各々において各々の深さ方向最深部側の内壁部には、厚さ方向に複数の孔部が形成された排水板１３（一方の排水板１３Ａ及び他方の排水板１３Ｂ）がそれぞれ設けられている。そして、基板部１１において各々の排水板１３よりも板厚方向（濾板１０の板厚方向）の内側には、各々の排水板１３によって板厚方向の両側が覆われる板状体１１Ａが設けられている。そして、各々の排水板１３（一方の排水板１３Ａ及び他方の排水板１３Ｂ）と板状体１１Ａとの間には、濾板１０の外側に通じる排水路２８Ａ，２８Ｂがそれぞれ構成されている。そして、一方の中央側凹部１２Ａ内及び他方の中央側凹部１２Ｂ内には、各々の排水板１３よりも板厚方向に突出する排水板側突起部１９（一方の排水板側突起部１９Ａ及び他方の排水板側突起部１９Ｂ）がそれぞれ形成されている。図２のように一の濾板１０の一方面側と他の濾板１０の他方面側とが押圧し合うように重ねられたとき、一の濾板１０の一方面側の排水板側突起部１９Ａと他の濾板１０の他方面側の排水板側突起部１９Ｂとが互いに対向する構成となっている。このように構成されていれば、例えば、固液混合体が高い圧力で流入すること等に起因して一の濾板１０が他の濾板１０側に撓み変形しようとしても、排水板側突起部１９同士が当接し、撓み変形が抑制される。ゆえに、濾板１０が大きく変形することに起因して一の濾板１０の環状凸部２４が他の濾板１０の環状凹部３４から外れてしまうような事態をより効果的に防ぎやすくなる。
【００６９】
排水板側突起部１９は、先端側に近づくにつれて細くなる先細り形状をなしており、一の濾板１０の一方面側の排水板側突起部１９Ａと他の濾板１０の他方面側の排水板側突起部１９Ｂとは、それぞれの最も細くなった部位である先端部同士が互いに対向する構成となっている。このように構成されていれば、濾板１０の撓み変形を抑制する効果を生じさせつつ、濾室内に残留する固形物（ケーキ）の体積の低減を抑えることができる。しかも、先端部側が細くなっていれば、排水板側突起部１９では、相対的に細い先端部側では固液混合体から受ける圧力が低減され、相対的に太い基端部側では、基板部側との連結を強固に確保することができる。
【００７０】
フィルタープレス装置１において、保持装置５０は、複数の濾板１０を重ねた状態で配置しつつ、隣り合う濾板間において片方の濾板１０の環状凸部２４がもう片方の濾板１０の環状凹部３４内に入り込んで当該環状凹部３４内を押圧し且つ片方の濾板１０の第１押圧面２２ともう片方の濾板１０の第２押圧面３２とが互いに押圧し合う第１保持状態で保持し得る。更に、第２注入装置７０は、保持装置５０によって複数の濾板１０からなる濾板群５が第１保持状態で保持されているときに、濾板群５の一端部の濾板１０の貫通孔１６から複数の濾板１０の内部に固液混合体７を注入する第１注入装置６０と、濾板群５が第１保持状態で保持されているときに、濾板群５における一端部とは反対側の他端部の貫通孔１６から複数の濾板１０の内部にエアを注入し得る。
このように構成されていれば、濾板群５が第１保持状態で保持されているとき（隣り合う濾板間において片方の濾板１０の環状凸部２４がもう片方の濾板１０の環状凹部３４内に入り込んでパッキン効果が高められているとき）に固液混合体７を注入して濾板間でケーキを形成する動作を行うことができることに加え、濾板群５が第１保持状態で保持されているときにエアを注入して濾板群５の内部にエアを流動させる動作を行うことも可能となる。隣り合う濾板間において片方の濾板１０の環状凸部２４がもう片方の濾板１０の環状凹部３４内に入り込んでパッキン効果が高められていれば、濾板群５の内部でエアを流動させるときに、各濾板１０の周縁部の所定位置（上述したパッキン効果が得られる位置）からエアが漏れることを確実に抑えることができる。
【００７１】
フィルタープレス装置１では、更に、濾板群５における一端部側での流体の流出入を停止する第１停止状態と、第１停止状態を解除する第１解除状態とに切り替える第１切替部８１と、濾板群５における他端部側での流体の流出入を停止する第２停止状態と、第２停止状態を解除する第２解除状態とに切り替える第２切替部８２と、を有する。そして、保持装置５０が第１保持状態で保持しているときに、第２切替部８２が第２停止状態に切り替えた状態で第１注入装置６０が濾板群５の内部に固液混合体７を注入し、第１注入装置６０による固液混合体７の注入後、保持装置５０が第１保持状態で保持されているときに、第１切替部８１が第１停止状態に切り替えた状態で第２注入装置７０が濾板群５の内部にエアを注入することで、他端部の貫通孔１６側から各々の濾板１０の排水路２８側へとエアを流し、濾板群５の内部に存在する固液混合体７の液体をエアと共に排水路２８を介して濾板群５の外部に排出する。
【００７２】
このように構成されていれば、固液混合体７を高圧で注入することによる排水路からの排水だけでなく、固液混合体７の内部にエアを通すことによる強制的な排水効果も加味され、より含水率の低いケーキを形成することができる。但し、このように固液混合体７の内部にエアを通す場合、極めて高圧でエアを供給する必要があるため、隣り合う濾板間の周縁部付近のパッキン効果が弱いと、隣り合う濾板間の周縁部からエアとともに固液混合体７が漏れてしまう虞がある。しかし、本構成では、「隣り合う濾板間において片方の濾板１０の環状凸部２４がもう片方の濾板１０の環状凹部３４内に入り込んでパッキン効果を高める」という特徴と、「濾板群５の内部に存在する固液混合体７の液体をエアと共に排水路２８を介して濾板群５の外部に排出する」という特徴が相乗効果を発揮し、濾板１０の周縁部からのエア及び固液混合体７の漏れを抑えながら、より含水率を抑えたケーキを形成することができる。
【００７３】
フィルタ―プレス装置１は、複数の濾板１０をそれぞれの濾板１０の厚さ方向に並べた状態で各々の濾板１０の移動方向が上記厚さ方向となるようにガイドする一対のガイドレール９０と、一対のガイドレール９０のそれぞれの上方側に配置される一対の規制部９４と、を有していてもよい。そして、フィルタープレス装置は、一対のガイドレール９０のそれぞれが、各々の濾板１０の両側部に対向してそれぞれ配置されるとともに上記厚さ方向に沿って延びる構成をなしている。そして、一対の規制部９４のそれぞれが、各々の濾板１０における上下方向中央位置よりも上側の位置において各々の濾板１０の両側部に対向してそれぞれ配置されるとともに上記厚さ方向に沿って延びる構成をなしている。このように、各々の濾板１０の両側部に対向するように一対の規制部９４がそれぞれ配置され、各々の濾板１０の厚さ方向（各々の濾板１０の移動方向）に延びるように一対の規制部９４がそれぞれ設けられ、それら規制部９４が各々の濾板１０における上下方向中央位置よりも上側の位置に設けられていれば、複数の濾板１０を接触状態にして固液混合体７を注入した後、図１９（Ａ）の状態から図１９（Ｂ）の状態に変化させて隣り合う濾板間の距離を大きくしてケーキ７Ａを下方に落とすような排出動作を行うときに、図１８（Ｂ）のように排出されるケーキが傾きながら横に外れるように落ちようとしても、一対の規制部９４Ａ，９４Ｂによってケーキの傾斜及び横への移動を規制しながら下方に落とすことができる。このような規制部９４Ａ，９４Ｂが存在しないと、図１８（Ａ）のように、ガイドレール９０の上面部にケーキが落ちてしまう虞がある。
【００７４】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００７５】
上述した実施形態では、一方面側に１つの環状凸部２４が設けられ、他方面側に１つの環状凹部３４が設けられた例を示したが、一方面側に２以上（例えば、２つ）の環状凸部２４が多重に設けられ、他方面側に環状凸部２４に対応する複数（例えば、２つ）の環状凹部３４が多重に設けられていてもよい。
【００７６】
上述した実施形態では、環状凸部２４において突出する部分の断面（環状凸部２４が延びる方向に対して直交する平面方向に切断した断面）の外形が湾曲した形状をなしているが、この断面の外形が台形状であってもよく、三角形状であってもよく、その他の形状であってもよい。同様に、環状凹部３４において凹む部分の断面（環状凹部３４が延びる方向に対して直交する平面方向に切断した断面）の外形が湾曲した形状をなしているが、この断面の外形が台形状であってもよく、三角形状であってもよく、その他の形状であってもよい。
【００７７】
上述した実施形態では、環状凸部２４や環状凹部３４が中央側凹部１２の周囲に矩形枠状に設けられていたが、中央側凹部の周囲に配置されていれば、環状凸部２４や環状凹部３４は、円形状（濾板の板厚方向と直交する平面方向に沿って円形状に配置された構造）であってもよく、楕円形状であってもよく、その他の形状であってもよい。
【００７８】
上述した実施形態では、中央側凹部の周りに周縁側凸部が環状に配置され、中央側凹部の一部が周縁側凸部の一部をなす例を示したが、このような例に限定されない。例えば、中央側凹部の外側において、中央側凹部から離れた位置に周縁側凸部が環状に配置されていてもよい。
【００７９】
上述した実施形態では、外縁形状が矩形状（四角形状）の濾板１０を例示したが、濾板の外縁形状は円形状であってもよく、楕円形状や、略矩形状などであってもよく、それ以外の他の形状であってもよい。濾板の外縁形状を円形状にする場合、周縁側凸部は、濾板の周縁に沿った円形枠状に構成すればよい。また、周縁側凸部は、中央側凹部よりも周縁側にあればよく、例えば、濾板の周縁よりも若干内側に入り込んだ構成などであってもよい。中央側凹部は、濾板の中央側において板厚方向に凹んだ構成であればよく、外縁形状は矩形状に限定されず、円形状、楕円形状、略矩形状などの他の形状であってもよい。周縁側凸部は、濾板の周縁側において板厚方向に凸となる構成であればよく、周縁側凸部の内縁形状（枠の内縁形状）は、円形状、楕円形状、略矩形状などの様々な形状を採用することができる。同様に、周縁側凸部の外縁形状（枠の外縁形状）も、円形状、楕円形状、略矩形状などの様々な形状を採用することができる。
【符号の説明】
【００８０】
１…フィルタープレス装置
３…濾板構造
５…濾板群
７…固液混合体
１０…濾板
１１…基板部
１１Ａ…板状体
１２…中央側凹部
１３…排水板
１４…周縁側凸部
１５…環状板部
１６…貫通孔
１７…貫通孔側突起部
１８…濾布
１９…排水板側突起部
２２…第１押圧面
２４…環状凸部
２４Ａ…空隙部
２８…排水路
３２…第２押圧面
３４…環状凹部
５０…保持装置
６０…第１注入装置
７０…第２注入装置
８１…第１切替部
８２…第２切替部
９０…ガイドレール
９４…規制部
【図１】
2019150807.tif 000003
【図２】
2019150807.tif 000004
【図３】
2019150807.tif 000005
【図４】
2019150807.tif 000006
【図５】
2019150807.tif 000007
【図６】
2019150807.tif 000008
【図７】
2019150807.tif 000009
【図８】
2019150807.tif 000010
【図９】
2019150807.tif 000011
【図１０】
2019150807.tif 000012
【図１１】
2019150807.tif 000013
【図１２】
2019150807.tif 000014
【図１３】
2019150807.tif 000015
【図１４】
2019150807.tif 000016
【図１５】
2019150807.tif 000017
【図１６】
2019150807.tif 000018
【図１７】
2019150807.tif 000019
【図１８】
2019150807.tif 000020
【図１９】
2019150807.tif 000021